(57)【要約】【課題】本来であれば、遊技者に返却されるべき有価価値が逸失するのを好適に防止する。【解決手段】本発明に係る遊技装置は、遊技者から有価価値の一部を徴収して、遊技媒体を貸し出す。貸し出された遊技媒体は、その他の遊技者が所有する遊技媒体と共に内部貯留される。内部貯留されている遊技媒体は、一部が徴収されて一回の遊技実行に対する賭数の設定に供される。そして、内部貯留されている遊技媒体を遊技者に返却すべく、内部貯留の解除が指示されると、残有価価値が遊技者に返却されていないことかを判断し、その旨を報知する。【選択図】　　図４
2004008400.tif 000002
【特許請求の範囲】
【請求項１】
遊技者から有価価値の一部又は全部を徴収して、相当する数量分の遊技媒体の貸し出しを指示する貸出指示手段と、貸出指示に基づき遊技者に遊技媒体を貸し出す貸出手段と、遊技者が所有する遊技媒体の一部又は全部を内部貯留する内部貯留手段と、内部貯留されている遊技媒体の一部を徴収して一回の遊技実行に対する賭数を設定する賭数設定手段とを備えた遊技装置であって、内部貯留されている遊技媒体を遊技者に返却すべく、内部貯留の解除を指示する解除指示手段と、解除指示に基づき内部貯留を解除する解除手段と、解除指示に呼応し、残有価価値が遊技者に返却されていないことを前提として、その旨を報知する報知手段とをさらに備えてなることを特徴とする遊技装置。
【請求項２】
遊技者から預かった貸出媒体が有する有価価値の一部又は全部を徴収して、相当する数量分の遊技媒体の貸し出しを指示する貸出指示手段と、貸出指示に基づき遊技者に遊技媒体を貸し出す貸出手段と、遊技者が所有する遊技媒体の一部又は全部を内部貯留する内部貯留手段と、内部貯留されている遊技媒体の一部を徴収して一回の遊技実行に対する賭数を設定する賭数設定手段とを備えた遊技装置であって、内部貯留されている遊技媒体を遊技者に返却すべく、内部貯留の解除を指示する解除指示手段と、解除指示に基づき内部貯留を解除する解除手段と、解除指示に呼応し、貸出媒体が遊技者に返却されていないことを前提として、その旨を報知する報知手段とをさらに備えてなることを特徴とする遊技装置。
【請求項３】
遊技媒体の貸出要求を遊技媒体貸出機から受けて遊技者に遊技媒体を貸し出す貸出手段と、遊技者が所有する遊技媒体の一部又は全部を内部貯留する内部貯留手段と、内部貯留されている遊技媒体の一部を徴収して一回の遊技実行に対する賭数を設定する賭数設定手段とを備えたスロットマシンであって、内部貯留されている遊技媒体を遊技者に返却すべく、内部貯留の解除を指示する解除指示手段と、解除指示に基づき内部貯留を解除する解除手段と、内部貯留の解除がなされる旨を遊技媒体貸出機に通知する解除通知手段とをさらに備えてなることを特徴とするスロットマシン。
【請求項４】
遊技者から有価価値の一部又は全部を徴収して、相当する数量分の遊技媒体の貸し出しをスロットマシンに指示する貸出指示手段を備えた遊技媒体貸出機であって、内部貯留の解除がなされる旨をスロットマシンから受けるのに呼応し、残有価価値が遊技者に返却されていないことを前提として、その旨を報知する報知手段をさらに備えてなることを特徴とする遊技媒体貸出機。
【請求項５】
遊技媒体の貸出要求を遊技媒体貸出機から受けて遊技者に遊技媒体を貸し出す貸出手段と、遊技者が所有する遊技媒体の一部又は全部を内部貯留する内部貯留手段と、内部貯留されている遊技媒体の一部を徴収して一回の遊技実行に対する賭数を設定する賭数設定手段とを備えたスロットマシンであって、内部貯留されている遊技媒体を遊技者に返却すべく、内部貯留の解除を指示する解除指示手段と、解除指示に基づき内部貯留を解除する解除手段と、内部貯留の解除がなされる旨を遊技媒体貸出機に通知する解除通知手段と、解除通知に呼応し、残有価価値が遊技者に返却されていない旨を遊技媒体貸出機から受けることを前提として、その旨を報知する報知手段とをさらに備えてなることを特徴とするスロットマシン。
【請求項６】
遊技者から有価価値の一部又は全部を徴収して、相当する数量分の遊技媒体の貸し出しをスロットマシンに指示する貸出指示手段を備えた遊技媒体貸出機であって、内部貯留の解除がなされる旨をスロットマシンから受けるのに呼応し、残有価価値が遊技者に返却されていないことを前提として、その旨をスロットマシンに通知する未返却通知手段をさらに備えてなることを特徴とする遊技媒体貸出機。
【請求項７】
遊技媒体の貸出要求を遊技媒体貸出機から受けて遊技者に遊技媒体を貸し出す貸出手段と、遊技者が所有する遊技媒体の一部又は全部を内部貯留する内部貯留手段と、内部貯留されている遊技媒体の一部を徴収して一回の遊技実行に対する賭数を設定する賭数設定手段とを備えたスロットマシンであって、内部貯留の解除指示を遊技媒体貸出機から受けることを前提として、内部貯留されている遊技媒体を遊技者に返却すべく、内部貯留を解除する解除手段をさらに備えてなることを特徴とするスロットマシン。
【請求項８】
遊技者から有価価値の一部又は全部を徴収して、相当する数量分の遊技媒体の貸し出しをスロットマシンに指示する貸出指示手段を備えた遊技媒体貸出機であって、スロットマシンにて内部貯留されている遊技媒体を遊技者に返却すべく、内部貯留の解除をスロットマシンに指示する解除指示手段と、解除指示に呼応し、残有価価値が遊技者に返却されていないことを前提として、その旨を報知する報知手段とをさらに備えてなることを特徴とする遊技媒体貸出機。
【請求項９】
遊技媒体の貸出要求を遊技媒体貸出機から受けて遊技者に遊技媒体を貸し出す貸出手段と、遊技者が所有する遊技媒体の一部又は全部を内部貯留する内部貯留手段と、内部貯留されている遊技媒体の一部を徴収して一回の遊技実行に対する賭数を設定する賭数設定手段とを備えたスロットマシンであって、内部貯留の解除指示を遊技媒体貸出機から受けることを前提として、内部貯留されている遊技媒体を遊技者に返却すべく、内部貯留を解除する解除手段と、解除指示に呼応し、残有価価値が遊技者に返却されていない旨を遊技媒体貸出機から受けることを前提として、その旨を報知する報知手段とをさらに備えてなることを特徴とするスロットマシン。
【請求項１０】
遊技者から有価価値の一部又は全部を徴収して、相当する数量分の遊技媒体の貸し出しをスロットマシンに指示する貸出指示手段を備えた遊技媒体貸出機であって、スロットマシンにて内部貯留されている遊技媒体を遊技者に返却すべく、内部貯留の解除をスロットマシンに指示する解除指示手段と、解除指示に呼応し、残有価価値が遊技者に返却されていないことを前提として、その旨をスロットマシンに通知する未返却通知手段をさらに備えてなることを特徴とする遊技媒体貸出機。
【発明の詳細な説明】
【０００１】
【発明の属する技術分野】
本発明は、有価価値を有するプリペイドカード（磁気カードやＩＣカード等）などの貸出媒体に基づき遊技媒体の貸し出しを行う機能を備えた遊技装置、スロットマシン及び遊技媒体貸出機に関する。
【０００２】
【従来の技術】
現在ホールに設置されるスロットマシンは、パチンコ機と異なり、横に設置されたメダル貸出機でメダルの貸し出しを受ける、いわゆる現金対応型が一般的であるが、近年、パチンコ機と同様、プリペイドカード（以下、「カード」という）を用いてスロットマシンでメダルの貸し出しを受ける、いわゆるＣＲ対応型のスロットマシンが種々提案されている。このスロットマシンには、カードを受け付けるメダル貸出機がスロットマシンと隣り合わせに設置されており、遊技者が自由に利用できるようになっている。
【０００３】
スロットマシン及びメダル貸出機は、電気的に接続されており、メダル貸出機は、自機、他機あるいはホールの適所に設置された発券機で発行されたカードを受け付けて、遊技者によるスロットマシン上での貸出操作に応じてスロットマシンにメダルの貸出処理を指示する制御信号（貸出要求信号）を送信する一方、スロットマシンは、この制御信号に応じてメダルの貸出処理を実行する。その結果、一回の貸出操作でカードから所定度数が引き落とされて、その度数に応じた枚数のメダルが貯留メダルとして機内のクレジットデータに加算され、あるいは貯留メダルが上限枚数を越える場合には、この越えた分のメダルが機内のメダル排出装置から排出される。
【０００４】
【発明が解決しようとする課題】
ところで、スロットマシンには、メダル精算ボタンが設けられており、遊技者によるスロットマシン上でのメダル精算操作が行われると、メダルの貯留処理が解除され、全て又は一部の貯留メダルがメダル排出装置から排出されるようになっている。メダル精算処理を実施可能にしたのは、遊技者が任意のタイミングで遊技を終了できるようにするためである。
【０００５】
従って、遊技者は、遊技を終了するに当たり、メダル精算ボタンを押釦操作して内部貯留されているメダルを受け皿に排出させ、それまで受け皿に貯まっているメダルと共に、専用の箱（いわゆる「ドル箱」）に移し替えて、これをメダル枚数カウンタに持っていき、獲得したメダルの精算を行うようにしている。
【０００６】
しかしながら、これら一連の作業によって、まだ度数が残っているカードを抜き忘れてしまうことも起こり得る。この結果、カードは他人に盗用され、遊技者の手に戻ることは無い。本発明は、このような問題に鑑みてなされたもので、本来であれば、遊技者に返却されるべき有価価値が逸失するのを好適に防止することができる遊技装置、スロットマシン及び遊技媒体貸出機を提供することを課題とする。
【０００７】
【課題を解決するための手段】
請求項１に係る遊技装置は、遊技者から有価価値の一部又は全部を徴収して、相当する数量分の遊技媒体の貸し出しを指示する貸出指示手段と、貸出指示に基づき遊技者に遊技媒体を貸し出す貸出手段と、遊技者が所有する遊技媒体の一部又は全部を内部貯留する内部貯留手段と、内部貯留されている遊技媒体の一部を徴収して一回の遊技実行に対する賭数を設定する賭数設定手段とを備えた遊技装置であって、内部貯留されている遊技媒体を遊技者に返却すべく、内部貯留の解除を指示する解除指示手段と、解除指示に基づき内部貯留を解除する解除手段と、解除指示に呼応し、残有価価値が遊技者に返却されていないことを前提として、その旨を報知する報知手段とをさらに備えてなることを特徴とする。
【０００８】
上記構成からなる遊技装置によれば、有価価値の一部徴収又は全部徴収を対価として、相当する数量分の遊技媒体の貸し出しを受ける（貨幣や貸出媒体等を投入すれば、自動的に貸出指示を開始するものも含む）。貸し出された遊技媒体は、遊技者に直接引き渡すのでなく、内部貯留させておくことが可能であり、且つこの内部貯留された遊技媒体に基づいて、遊技実行のための賭数設定が可能である。そして、遊技の終了に際し、遊技媒体及び有価価値がまだ残っている場合は、その返却を受ける必要があるが、有価価値についてはつい忘れがちとなる。本発明は、遊技媒体の返却を受けるに際し、残有価価値の返却を受けていない旨の報知がなされるため、そのようなことは無くなるのである。
【０００９】
尚、「徴収」とは、当該遊技装置（あるいは当該遊技媒体貸出機）で有価価値を管理する（分散管理方式、例えば、カードの発行元であるメダル貸出機にて度数データの引き落とし処理を行う方法）のみならず、複数の遊技装置（あるいは複数の遊技媒体貸出機）を一元管理する管理装置で各遊技装置（あるいは各遊技媒体貸出機）における有価価値のデータを管理する（集中管理方式、例えば、管理装置に登録されたカードの度数データの引き落とし処理を行う方法）を含む概念である。
【００１０】
請求項２に係る遊技装置は、貸出媒体を預けて遊技媒体の貸し出しを受けるもので、遊技者から預かった貸出媒体が有する有価価値の一部又は全部を徴収して、相当する数量分の遊技媒体の貸し出しを指示する貸出指示手段と、貸出指示に基づき遊技者に遊技媒体を貸し出す貸出手段と、遊技者が所有する遊技媒体の一部又は全部を内部貯留する内部貯留手段と、内部貯留されている遊技媒体の一部を徴収して一回の遊技実行に対する賭数を設定する賭数設定手段とを備えた遊技装置であって、内部貯留されている遊技媒体を遊技者に返却すべく、内部貯留の解除を指示する解除指示手段と、解除指示に基づき内部貯留を解除する解除手段と、解除指示に呼応し、貸出媒体が遊技者に返却されていないことを前提として、その旨を報知する報知手段とをさらに備えてなることを特徴とする。本発明によれば、まだ有価価値が残っているか否かに関わらず（但し、下記する会員カードや追加入金可能なＩＣカード等それ自体に価値を有する貸出媒体以外は、有価価値が残っている場合のみとしても構わない）、貸出媒体を遊技の終了時に取り忘れることは無くなるのである。
【００１１】
ここで、「貸出媒体」とは、有価価値情報を記憶（書き込み）可能な磁気カード（プリペイドカードや会員カード）、ＩＣカード、ＩＣチップを埋め込んだコイン、フラッシュメモリー等のメモリ機能を備えたメモリーカードといった記憶媒体、あるいは有価価値情報を記憶可能なメモリー機能を備えてこの情報を無線乃至有線を介して通信可能な携帯電話等の携帯端末といった記憶媒体、あるいはこれらの記憶媒体に識別情報のみを記憶し、この識別情報に対応する有価価値情報を遊技媒体貸出機や管理装置に記憶しておくもののみならず、トークン（コイン状のもの）などの所定形状物であって、機内への投入によって有価価値を有すると認識されるもの、あるいは機内へ投入される貨幣そのものをも含める概念である。
【００１２】
また、「有価価値」とは、遊技媒体に変換可能なもの又は遊技媒体と等価なものをいい、金額価値のみならず、この金額価値に基づき換算された度数、あるいはこの金額価値に基づき換算された遊技媒体の貸出可能数量を含める概念である。さらに、「遊技媒体」とは、メダルに限らず、その他、スロットマシンの遊技を実行できる媒体全てを含む概念である。
【００１３】
そして、「遊技者が所有する遊技媒体」とは、遊技媒体貸出機からの指示により貸し出された遊技媒体は当然のことながら、遊技において所定の入賞が成立することにより払い出された遊技媒体などを含み、内部貯留されている状態にあるか、機外に排出された状態にあるかは問わない。
【００１４】
また、「遊技装置」とは、遊技媒体貸出機と遊技機の両方を含めた概念であり、例えば、遊技媒体貸出手段、遊技処理手段、特典用遊技媒体貸出手段を備えた遊技機と、遊技媒体貸出指示手段、特典付与手段、特典用遊技媒体貸出指示手段を備えた遊技媒体貸出機とが分離可能であって、両者が電気的に接続されているものや、あるいはこれらを分離不可能に一つの筐体内に収容した、遊技媒体貸出機・遊技機一体型（あるいは遊技媒体貸出機能付き遊技機）のものを含む概念である。
【００１５】
請求項３に係るスロットマシンは、遊技媒体の貸出要求を遊技媒体貸出機から受けて遊技者に遊技媒体を貸し出す貸出手段と、遊技者が所有する遊技媒体の一部又は全部を内部貯留する内部貯留手段と、内部貯留されている遊技媒体の一部を徴収して一回の遊技実行に対する賭数を設定する賭数設定手段とを備えたスロットマシンであって、内部貯留されている遊技媒体を遊技者に返却すべく、内部貯留の解除を指示する解除指示手段と、解除指示に基づき内部貯留を解除する解除手段と、内部貯留の解除がなされる旨を遊技媒体貸出機に通知する解除通知手段とをさらに備えてなることを特徴とするものであり、これに対応する請求項４に係る遊技媒体貸出機は、遊技者から有価価値の一部又は全部を徴収して、相当する数量分の遊技媒体の貸し出しをスロットマシンに指示する貸出指示手段を備えた遊技媒体貸出機であって、内部貯留の解除がなされる旨をスロットマシンから受けるのに呼応し、残有価価値が遊技者に返却されていないことを前提として、その旨を報知する報知手段をさらに備えてなることを特徴とする。
【００１６】
上記構成からなるスロットマシン及び遊技媒体貸出機によれば、スロットマシンにて内部貯留の解除が指示されると、内部貯留の解除がなされる旨が遊技媒体貸出機に通知される。遊技媒体貸出機は、これを受けた際に、まだ有価価値が残っており且つこの残有価価値が遊技者に返却されていないと判断した場合、報知を行い、遊技者が有価価値の返却を受けるのを促すようになっている。
【００１７】
さらに、請求項５に係るスロットマシンは、遊技媒体の貸出要求を遊技媒体貸出機から受けて遊技者に遊技媒体を貸し出す貸出手段と、遊技者が所有する遊技媒体の一部又は全部を内部貯留する内部貯留手段と、内部貯留されている遊技媒体の一部を徴収して一回の遊技実行に対する賭数を設定する賭数設定手段とを備えたスロットマシンであって、内部貯留されている遊技媒体を遊技者に返却すべく、内部貯留の解除を指示する解除指示手段と、解除指示に基づき内部貯留を解除する解除手段と、内部貯留の解除がなされる旨を遊技媒体貸出機に通知する解除通知手段と、解除通知に呼応し、残有価価値が遊技者に返却されていない旨を遊技媒体貸出機から受けることを前提として、その旨を報知する報知手段とをさらに備えてなることを特徴とするものであり、これに対応する請求項６に係る遊技媒体貸出機は、遊技者から有価価値の一部又は全部を徴収して、相当する数量分の遊技媒体の貸し出しをスロットマシンに指示する貸出指示手段を備えた遊技媒体貸出機であって、内部貯留の解除がなされる旨をスロットマシンから受けるのに呼応し、残有価価値が遊技者に返却されていないことを前提として、その旨をスロットマシンに通知する未返却通知手段をさらに備えてなることを特徴とする。
【００１８】
上記構成からなるスロットマシン及び遊技媒体貸出機によれば、スロットマシンにて内部貯留の解除が指示されると、内部貯留の解除がなされる旨が遊技媒体貸出機に通知される。遊技媒体貸出機は、これを受けた際に、まだ有価価値が残っており且つこの残有価価値が遊技者に返却されていないと判断した場合、その旨をスロットマシンに通知する。スロットマシンは、これを受けて、報知を行い、遊技者が有価価値の返却を受けるのを促すようになっている。
【００１９】
また、請求項７に係るスロットマシンは、遊技媒体の貸出要求を遊技媒体貸出機から受けて遊技者に遊技媒体を貸し出す貸出手段と、遊技者が所有する遊技媒体の一部又は全部を内部貯留する内部貯留手段と、内部貯留されている遊技媒体の一部を徴収して一回の遊技実行に対する賭数を設定する賭数設定手段とを備えたスロットマシンであって、内部貯留の解除指示を遊技媒体貸出機から受けることを前提として、内部貯留されている遊技媒体を遊技者に返却すべく、内部貯留を解除する解除手段をさらに備えてなることを特徴とするものであり、これに対応する請求項８に係る遊技媒体貸出機は、遊技者から有価価値の一部又は全部を徴収して、相当する数量分の遊技媒体の貸し出しをスロットマシンに指示する貸出指示手段を備えた遊技媒体貸出機であって、スロットマシンにて内部貯留されている遊技媒体を遊技者に返却すべく、内部貯留の解除をスロットマシンに指示する解除指示手段と、解除指示に呼応し、残有価価値が遊技者に返却されていないことを前提として、その旨を報知する報知手段とをさらに備えてなることを特徴とする。
【００２０】
上記構成からなるスロットマシン及び遊技媒体貸出機によれば、遊技媒体貸出機にて内部貯留の解除が指示されると、その旨がスロットマシンに通知される。スロットマシンは、これを受けて、内部貯留を解除する。また、遊技媒体貸出機は、内部貯留の解除を指示した際に、まだ有価価値が残っており且つこの残有価価値が遊技者に返却されていないと判断した場合、報知を行い、遊技者が有価価値の返却を受けるのを促すようになっている。
【００２１】
さらに、請求項９に係るスロットマシンは、遊技媒体の貸出要求を遊技媒体貸出機から受けて遊技者に遊技媒体を貸し出す貸出手段と、遊技者が所有する遊技媒体の一部又は全部を内部貯留する内部貯留手段と、内部貯留されている遊技媒体の一部を徴収して一回の遊技実行に対する賭数を設定する賭数設定手段とを備えたスロットマシンであって、内部貯留の解除指示を遊技媒体貸出機から受けることを前提として、内部貯留されている遊技媒体を遊技者に返却すべく、内部貯留を解除する解除手段と、解除指示に呼応し、残有価価値が遊技者に返却されていない旨を遊技媒体貸出機から受けることを前提として、その旨を報知する報知手段とをさらに備えてなることを特徴とするものであり、これに対応する請求項１０に係る遊技媒体貸出機は、遊技者から有価価値の一部又は全部を徴収して、相当する数量分の遊技媒体の貸し出しをスロットマシンに指示する貸出指示手段を備えた遊技媒体貸出機であって、スロットマシンにて内部貯留されている遊技媒体を遊技者に返却すべく、内部貯留の解除をスロットマシンに指示する解除指示手段と、解除指示に呼応し、残有価価値が遊技者に返却されていないことを前提として、その旨をスロットマシンに通知する未返却通知手段をさらに備えてなることを特徴とする。
【００２２】
上記構成からなるスロットマシン及び遊技媒体貸出機によれば、遊技媒体貸出機にて内部貯留の解除が指示されると、その旨がスロットマシンに通知される。スロットマシンは、これを受けて、内部貯留を解除する。また、遊技媒体貸出機は、内部貯留の解除を指示した際に、まだ有価価値が残っており且つこの残有価価値が遊技者に返却されていないと判断した場合、その旨をスロットマシンに通知する。スロットマシンは、これを受けて、報知を行い、遊技者が有価価値の返却を受けるのを促すようになっている。
【００２３】
【発明の実施の形態】
以下、本発明の一実施形態に係るスロットマシン及びメダル貸出機について図面を参酌しつつ説明する。
【００２４】
＜第一実施形態（請求項１，２，３，４に対応する実施形態）＞
図１は、スロットマシン１及びメダル貸出機２の外観構成を、図２は、スロットマシン１の内部構成を、それぞれ示す。スロットマシン１は、遊技開始の都度でメダル投入口１２よりメダルを投入（ＢＥＴ）して遊技を実行するという遊技制御方式（これを「メダル投入方式」という）を実施するほか、予め筐体８内に（ソフト的に）貯留されている複数枚のメダルから一部をＢＥＴボタン１３，１４，１５により引き落とし（ＢＥＴ）して遊技を実行するという遊技制御方式（これを「クレジット方式」という）を実施することが可能である。
【００２５】
ボックス状の筐体８内には、周面に複数の図柄がそれぞれ表示された３個のリール１０，…を備えており、各リール１０に対応させて、筐体８の前面には、３つの図柄表示窓１１が形成されると共に、各図柄表示窓１１，…を横切る上、中、下、斜めの五本の停止ラインＬ，…が表示されている。
【００２６】
そして、図柄表示窓１１，…の下方位置には、メダル投入口１２、ＢＥＴボタン１３，１４，１５、始動レバー１６、３つのストップボタン１７，…、メダル貸出ボタン１８、カード返却ボタン１９、メダル精算ボタン２０、貸出可表示ランプ２１、カード残高表示器２２、そして、貯留メダル枚数表示器（クレジット表示器）２３が設けられている。
【００２７】
ＢＥＴボタン１３，１４，１５は、上述の如く、最高三枚を限度として、遊技実行に対して賭けるべきメダルを貯留メダルから引き落とすためのもので、三枚賭け用のＭＡＸ−ＢＥＴボタン１３の他に、一枚賭け用の１ＢＥＴボタン１４及び二枚賭け用の２ＢＥＴボタン１５の三種類が用意されている。
【００２８】
ＭＡＸ−ＢＥＴボタン１３は、五本の停止ラインＬ，…をすべて有効化させるためのものであり、ＭＡＸ−ＢＥＴボタン１３を押釦操作すれば、貯留メダルから三枚分が徴収される（投入される）が、ＢＥＴボタン１４，１５の押釦操作によってすでに一乃至二枚がＢＥＴされている状態において、ＭＡＸ−ＢＥＴボタン１３を押釦操作すれば、貯留メダルからその差分が徴収される。
【００２９】
１ＢＥＴボタン１４は、中央の停止ラインＬのみを有効化させるためのものであり、１ＢＥＴボタン１４を押釦操作すれば、貯留メダルから一枚分が徴収されるが、ＢＥＴボタン１５，１３の押釦操作によってすでに二乃至三枚がＢＥＴされている状態において、１ＢＥＴボタン１４を押釦操作すれば、貯留メダルにその差分が返却される。
【００３０】
２ＢＥＴボタン１５は、横三本の停止ラインＬ，…を有効化させるためのものであり、２ＢＥＴボタン１５を押釦操作すれば、貯留メダルから二枚分が徴収されるが、ＢＥＴボタン１４の押釦操作によってすでに一枚がＢＥＴされている状態において、２ＢＥＴボタン１５を押釦操作すれば、貯留メダルからその差分が徴収される一方、ＢＥＴボタン１３の押釦操作によってすでに三枚がＢＥＴされている状態において、２ＢＥＴボタン１５を押釦操作すれば、貯留メダルにその差分が返却される。
【００３１】
貯留メダル枚数表示器２３は、７個の発光セグメントからなるディジタル表示器であって、貯留メダル枚数表示器２３には、現在の貯留メダルの総枚数（クレジット枚数）が表示される。従って、ＢＥＴボタン１３，１４，１５の何れかを押釦操作する度に、更新された貯留メダル枚数が、貯留メダル枚数表示器２３に表示されるようになっている。
【００３２】
また、メダル投入方式に基づくＢＥＴ処理とクレジット方式に基づくＢＥＴ処理とは補完関係にあり、例えば、メダルを一枚投入することにより一枚がＢＥＴされた後、これより賭数の大きなＢＥＴボタン１３，１５が押釦操作されたならば、貯留メダルからその差分が徴収されると共に、押釦操作されたＢＥＴボタン１３，１５に対応した停止ラインＬ，…が有効化される。その際、更新された貯留メダル枚数が、貯留メダル枚数表示器２３に表示されるようになっている。
【００３３】
これらのＢＥＴ処理により停止ラインＬが有効化されたか否かは、図柄表示窓１１，…の側方位置に縦並びに五つ設けられたライン有効化表示器２４，…によって確認することができる。即ち、一枚がＢＥＴされた場合、中央の表示器２４が点灯し、二枚がＢＥＴされた場合、中央及びその上下の表示器２４，…が点灯し、三枚がＢＥＴされた場合、全ての表示器２４，…が点灯するようになっている。
【００３４】
メダル貸出ボタン１８は、メダル貸出機２に投入されたカードから所定度数を引き落とすためのもので、押釦操作により、メダル貸出機２からスロットマシン１側にメダル貸出を指示する制御信号が送信され、筐体８内の貯留メダル数は、カードからの引き落とし度数に応じた枚数分だけ加算される。
【００３５】
ここで、遊技開始に際しては、ＢＥＴ操作後、始動レバー１６を操作すると、各リール１０，…が始動し、以下、ストップボタン１７，…を任意の順序で押釦操作すると、それぞれ対応するリール１０が順次停止する。全リール１０，…が停止した時、有効化された停止ラインＬに特定の組み合わせ図柄が揃うと、入賞が成立して、対応する枚数のメダルが払い出される。入賞が成立しなければ、メダルの払い出しは行われない。
【００３６】
払い出されたメダルは、貸し出されたメダル、メダル投入口１２から余分に投入されたメダル（ＢＥＴに関与しないメダル）と共に、貯留メダル枚数が所定枚数（例えば２５０枚）になるまでは、内部で貯留され、これを越える分は、筐体８内に配置されたメダル排出装置３０が作動して、メダル排出口２５から受け皿２６に排出される。
【００３７】
メダルの排出処理は、メダル精算ボタン２０を押釦操作することによっても行われる。メダル精算ボタン２０が押釦操作されると、メダル排出装置３０が作動して、貯留メダルが精算メダルとしてメダル排出口２５から排出される。尚、メダル精算ボタン２０は、メダルの貯留処理の有効・無効を設定するボタンでもあり、１回押釦操作すると、メダル貯留処理（貯留上限枚数を設定しない場合もあるが、基本的には、貯留上限枚数まで）が有効となり、再度押釦操作すると、メダル貯留処理が無効となって、払出メダル及び貸出メダルは、各付与時点においてメダル排出装置３０により排出される。
【００３８】
メダル排出装置３０は、メダルガイド２８を介してメダル投入口１２から投入されたメダルを収容するホッパー２９内のメダルを一枚ずつ取り込んで送り出すメダル送出機構３１を備えている。このメダル送出機構３１は、送出モータ（図示しない）を駆動源とするもので、送出モータを駆動してディスク（図示しない）を回転させることにより、このディスクの周方向に設けられた複数のメダル取込孔にメダルを一枚ずつ取り込んで、メダル排出口２５に連通する排出路（図示しない）へと送り出す構成である。
【００３９】
送出モータは、制御部から送信されるパルス信号の入力に応じてディスクをメダル取込孔のピッチ単位で回転させる（即ちホッパー２９内のメダルをメダル排出口２５から受け皿２６に一枚ずつ排出する）よう制御されており、信号の入力回数によって排出されるメダルの枚数が決定される。メダルの貯留処理が無効の場合は、払出メダルあるいは貸出メダルの枚数に相当する数のパルス信号が、また、メダルの貯留処理が有効であって、払出メダルあるいは貸出メダルが貯留メダルに加算される結果、貯留メダル枚数が貯留上限枚数を越えるような場合は、その越えた分のメダル枚数に相当する数のパルス信号が、また、メダル精算ボタン２０の押釦操作によりメダルの貯留処理が有効から無効に切り替わる場合は、貯留メダルのメダル枚数に相当する数のパルス信号が、それぞれ制御部からメダル貸出装置３０に送信されるようになっている。
【００４０】
図柄表示窓１１，…の上方位置に設けられているスピーカ２７，２７は、ＢＥＴ、始動レバー１６及びストップボタン１７，…の操作音、遊技進行上でのゲーム演出に伴う効果音、メダルの払出音、メダルの排出音、あるいはエラー発生時の警告音等が各時点において発されるようになっている。
【００４１】
メダル貸出機２は、カードの発行機能を有するもので、紙幣の投入により、機体４０内に予め収容されている磁気カードにカード番号や有価価値などの情報を記録し、このカードをカード挿排口４９まで搬出するようになっている。また、メダル貸出機２は、自機又は他のメダル貸出機や発券機で発行されたカードを受け付け可能なもので、カード挿排口４９より投入されたカードからそのカードに記録された度数を含む記録情報を読み取るようになっている。
【００４２】
ボックス状の機体４０の前面には、メダル貸出機２の動作状態を報知するための表示ランプ４４、所定金種の紙幣（千円札、五千円札、一万円札など）を受け付ける紙幣投入口４５、最低額金種の紙幣（千円札）を釣りとして排出する紙幣返却口４６、カードの発行額を選択する数個の金額選択ボタン４７，…、カード投入ボタン４８、カード挿排口４９及びエラー発生時の警告音を発するスピーカ５０が、それぞれ設けられている。
【００４３】
カード挿排口４９は、紙幣投入口４５への紙幣の投入及び一の金額選択ボタン４７の押釦に応じてカードの発行を行うと共に、この発行されたカードや、他のメダル貸出機又は発券機で発行されたカードが投入される部分である。カード投入ボタン４８は、カード挿排口４９に発行されたカードを機体４０内に投入させる際に使用されるもので、押釦操作により、発行されたカードがカード挿排口４９から内部に取り込まれるようになっている。
【００４４】
図３は、スロットマシン１及びメダル貸出機２の電気的構成を概略化して示す。スロットマシン１は、制御、演算の主体であるＣＰＵ、遊技制御プログラムが記憶されるＲＯＭ、データの読み書きに用いられるＲＡＭ及び乱数発生器を有する制御部５５を備えている。
【００４５】
制御部５５のＣＰＵには、バスを介して各種の入出力部が接続されている。入力部としては、メダル投入口１２から投入されたメダルを検出するメダル投入センサ５６、ＭＡＸ−ＢＥＴボタン１３、１ＢＥＴボタン１４、２ＢＥＴボタン１５、始動レバー１６、ストップボタン１７，…、メダル精算ボタン２０などが接続され、これらの信号がＣＰＵに入力されるようになっている。出力部としては、リール１０，…の回転始動・停止・引き込みを実行するリール駆動部５７、メダル排出装置（メダル排出部）３０、貯留メダル枚数表示器２３、特別遊技モード時やマシンの電飾などに用いられる表示ランプ等５８、ライン有効化表示器２４、スピーカ２７などが接続され、入力信号に基づいて各種の出力部が制御される。
【００４６】
そして、入出力部としては、メダル貸出機２の制御部６５（に接続された中継基板６６）との間で貸出処理に関する各種制御信号をやり取りするためのインターフェイス回路５９が接続されている。インターフェイス回路５９及び中継基板６６間の制御信号は、貸出可能信号、貸出状態信号、貸出要求信号、貸出了解信号、精算状態信号などで構成される。
【００４７】
貸出可能信号は、スロットマシン１からメダル貸出機２に対し、メダル貸出指示を受け入れ可能な状態にあるか否かを知らせるための信号である。遊技処理時、メダル投入あるいはＢＥＴボタン１３，１４，１５の押釦操作に基づくＢＥＴ処理時、メダル精算ボタン２０の押釦操作に基づくメダル精算処理時などは、貸出可能信号がＨレベルとなって、貸出処理が不可能となる一方、これらを完了すると、貸出可能信号がＬレベルに反転して、貸出処理が可能になる。
【００４８】
貸出状態信号は、メダル貸出機２からスロットマシン１へと出力される信号であって、メダル貸出機２が貸出処理を指示する状態にあるか否かを示す。この信号は、通常はＨレベルであって、スロットマシン１のメダル貸出ボタン１８が押釦操作されることによりＬレベルに反転し、メダル貸出ボタン１８の一回の操作によって貸し出しされるべき相当数が消化された所定時間後はＨレベルに反転する。
【００４９】
貸出要求信号は、メダル貸出機２からスロットマシン１へと出力される信号であって、スロットマシン１の制御部５５に、貸出処理の実行を指示する。この信号は通常はＨレベルであって、Ｌレベルへの反転により１度数分のメダル（例えば５枚）の貸出処理が指示される。尚、メダル貸出ボタン１８が一回操作されることにより、複数度数分の貸出処理が行われる場合は、その度数に応じた数分のパルス信号が順次生成されて出力される。
【００５０】
貸出了解信号は、メダル貸出機２からのメダル貸出指示を受け取ったことを示す制御信号である。通常はＨレベルであり、貸出要求信号がＬレベルになってから所定時間後にＬレベルに反転し、さらに所定時間後にＨレベルに復帰する。
【００５１】
精算状態信号は、スロットマシン１からメダル貸出機２に対し、メダル精算ボタン２０が押釦操作されたことを知らせるための信号である。メダル精算ボタン２０の押釦操作に基づくメダル精算処理時は、精算状態信号がＨレベルとなる一方、これを完了すると、精算状態信号がＬレベルに反転する。
【００５２】
メダル貸出ボタン１８、カード返却ボタン１９、貸出可表示ランプ２１、カード残高表示器２２は、スロットマシン１の電源装置（図示しない）から電力供給を受ける中継基板６１を介してメダル貸出機２の制御部６５に接続され、メダル貸出機２の制御下に置かれている。
【００５３】
一方、メダル貸出機２の制御部６５は、制御、演算の主体であるＣＰＵと、プログラムが記憶されるＲＯＭと、データの読み書きに用いられるＲＡＭとを備え、ＣＰＵには、バスを介して各種の入出力部が接続されている。
【００５４】
入力部としては、金額選択ボタン４７，…、カード投入ボタン４８などが接続され、出力部としては、表示ランプ４４、スピーカ５０などが接続され、入出力部としては、他のメダル貸出機、発券機及び制御装置と通信を実施するためのインターフェイス回路６９、カードの取り込み・排出を行うカード搬送機構と内蔵の磁気ヘッドにより取り込んだカードに対してカード情報の読み書きを行うカードリードライタとからなるカード処理部７０、投入紙幣の取り込み・排出を行う紙幣搬送機構と取り込んだ紙幣の真偽判定を行う判定部とからなる紙幣処理部７１などが接続されている。
【００５５】
カードの発行処理及びメダルの貸出処理についてより詳細に説明すると、メダル貸出機２のカード処理部７０には、一枚の磁気カードが収容されており、紙幣処理部７１に所定金種の紙幣（千円札、五千円札、一万円札）が投入されて、一の金額選択ボタン４７が押釦されると、カード処理部７０は、カードリードライタによりこのカードに新たなカード情報を書き込んで、カード挿排口４９より発行する。
【００５６】
カード情報は、カード発行日、各カード貸出機及び発券機に割り当てられた識別番号、カードＩＤである発行番号、金額選択ボタン４７の選択に応じてカード発行時に付与された度数、メダル貸出ボタン１８の押釦により購入度数から差し引かれた現時点でのカードが有する残度数からなり、これは、メダル貸出機２の制御部６５のＲＡＭにも記憶される。
【００５７】
次に、カード挿排口４９よりカードが投入される（自機で発行されたカードを遊技者が直接的に機体４０内に投入させる若しくは自機で発行されたカードをタイマーなどによって発行後所定時間経過後に自動的に投入させるなどの、自機で発行されたカードをそのまま機体４０内に投入させる場合と、他のメダル貸出機や発券機で発行されたカードを機体４０内に投入させる場合の両方を含む概念である）と、カード処理部７０によりそのカード情報が読み取られ、制御部６５へと出力される。
【００５８】
制御部６５は、このカード情報の識別番号により、取り込んだカードが自機で発行されたものか否かをチェックし、自機発行のカードであれば、そのカード情報を内部メモリの記憶データと照合することにより、カードの適否を判定する。また他のメダル貸出機機や発券機などで発行されたカードである場合には、そのカード情報をカード発行元のメダル貸出機や発券機若しくは制御装置に送信して、投入カードの適否判定処理を要請し、返送された判定結果によりカードの適否を確認する。
【００５９】
投入されたカードが適切であると判定された後に、メダル貸出ボタン１８が押釦操作されると、制御部６５は、スロットマシン１からの貸出可能信号がＬレベルであることを確認した上で、スロットマシン１にメダル貸出処理を指示する。この貸し出し指示に対するスロットマシン１の応答を受けると、制御部６５は、カード処理部７０のカードリードライタを駆動させて、カードの残度数データを更新する。
【００６０】
そして、更新の結果、残度数がゼロとなれば、自機で発行されたカードの場合は、カード処理部７０内に収容されたままとなるが、他機で発行されたカードの場合は、カード搬送機構が駆動してカード挿排口４９から返却されるようになっている。つまり、カード処理部７０内には常に最低一枚のカードが収容されており、カードを発行する度に新たな磁気カードを必要としない。
【００６１】
但し、カードに度数が残っている状態でカード返却ボタン１９を押釦操作すれば、そのカードはカード挿排口４９に搬出され、これを抜き取れば、カード処理部７０内は空となるため、新たに磁気カードを補充する必要がある。このような事態が発生するのは、遊技者が遊技を終了する際、度数の残っているカードを精算機で精算する場合である。
【００６２】
本実施形態の特徴は、遊技を終了する際、度数の残っているカードを抜き忘れると、メダル貸出機２のスピーカ５０から警報が発されることにある。スロットマシン１の場合、遊技を終了するに当たり、遊技者は、メダル精算ボタン２０を押釦操作して内部貯留されているメダルを受け皿２６に排出させ、それまで受け皿２６に貯まっているメダルと共に、専用の箱（いわゆる「ドル箱」）に移し替えて、これをメダル枚数カウンタに持っていき、獲得したメダルの精算を行うのであるが、これら一連の作業によって、カードの存在を忘れやすい。従って、本実施形態においては、メダル精算ボタン２０を押釦操作した際、メダル貸出機２に度数の残っているカードがあれば、メダル貸出機２のスピーカ５０からその旨の警報が発されるようになっている。
【００６３】
図４は、メダル精算時におけるスロットマシン１の制御部５５及びメダル貸出機２の制御部６５のそれぞれ制御手順を示す。スロットマシン１の制御部５５では、まず、メダル精算ボタン２０の押釦操作があったか否かがチェックされ（Ｓ１０）、これがＹＥＳの場合、精算状態信号（貯留メダルの有無に関わらず、出力されるようにしてもよいし、貯留メダルが有る場合のみ出力されるようにしてもよい。）が出力される（Ｓ２０）と共に、メダルの排出処理が実行される（Ｓ３０）。また、この精算状態信号は、インターフェイス回路５９、中継基板６６を介してメダル貸出機２の制御部６５に入力される。
【００６４】
メダル貸出機２の制御部６５では、まず、精算状態信号の入力があったか否かがチェックされ（ｓ１０）、これがＹＥＳの場合、次に、カードに度数が残っているか否かがチェックされる（ｓ２０）。ｓ２０では、カードに残度数データがゼロでないか否かをチェックするようにしてもよいし、制御部６５にも記録されているカードの残度数データがゼロでないか否かをチェックするようにしてもよい。
【００６５】
ｓ２０がＹＥＳの場合、次に、カード返却ボタン１９の押釦操作を以てカードが抜き取られたか否かがチェックされ（ｓ３０）、これがＮＯの場合、制御部６５は、カードの抜き忘れであると判断し、スピーカ５０から警報音を発し（ｓ４０）、しかる後、カード返却ボタン１９が自動作動して、カードがカード挿排口４９に搬出される（ｓ５０）。遊技者は、この警報音によりカードの抜き忘れを認識できるのである。
【００６６】
＜第二実施形態（請求項１，２，３，４に対応する実施形態）＞
第二実施形態が第一実施形態と異なる点は、図５に示す如く、メダル貸出機２の制御部６５の制御下に置かれるが、スロットマシン１の筐体８内に配置された中継基板６１に、メダル精算ボタン２０が接続される点、そして、これに伴い、精算状態信号が中継基板６１で生成されて、メダル貸出機２の制御部６５に入力される点である。但し、スロットマシン１の制御部５５で生成された精算状態信号を中継基板６１を介してメダル貸出機２の制御部６５に入力されるようにしてもよい。本実施形態においても、カードの抜き忘れが発生すると、メダル貸出機２のスピーカ５０から警報音が発されることとなる。
【００６７】
＜第三実施形態（請求項１，２，５，６に対応する実施形態）＞
第三実施形態が第一実施形態と異なる点は、図６に示す如く、スロットマシン１のインターフェイス回路５９及びメダル貸出機２の中継基板６６間の制御信号として、カード検知信号が増設される点、カードの抜き忘れが発生すると、スロットマシン１のスピーカ２７から警報音が発される点である。
【００６８】
カード検知信号は、メダル精算ボタン２０の押釦操作に基づくメダル精算処理時に、メダル貸出機２からスロットマシン１に対し、度数の残っているカードがカード処理部７０にまだ残っていることを知らせるための信号である。通常はＬレベルであるが、精算状態信号がＨレベルに反転した際、度数の残っているカードがカード処理部７０にまだ残っていると、Ｈレベルに反転する。
【００６９】
図７は、メダル精算時におけるスロットマシン１の制御部５５及びメダル貸出機２の制御部６５のそれぞれ制御手順を示す。スロットマシン１の制御部５５では、まず、メダル精算ボタン２０の押釦操作があったか否かがチェックされ（Ｓ１０）、これがＹＥＳの場合、精算状態信号が出力される（Ｓ２０）と共に、メダルの排出処理が実行される（Ｓ３０）。また、この精算状態信号は、インターフェイス回路５９、中継基板６６を介してメダル貸出機２の制御部６５に入力される。
【００７０】
メダル貸出機２の制御部６５では、まず、精算状態信号の入力があったか否かがチェックされ（ｓ１０）、これがＹＥＳの場合、次に、カードに度数が残っているか否かがチェックされる（ｓ２０）。ｓ２０がＹＥＳの場合、次に、カード返却ボタン１９の押釦操作を以てカードが抜き取られたか否かがチェックされ（ｓ３０）、これがＮＯの場合、制御部６５は、カードの抜き忘れであると判断し、カード検知信号が出力される（ｓ４０）と共に、カード返却ボタン１９が自動作動して、カードがカード挿排口４９に搬出される（ｓ５０）。また、このカード検知信号は、中継基板６６、インターフェイス回路５９を介してスロットマシン１の制御部５５に入力される。
【００７１】
スロットマシン１の制御部５５では、Ｓ３０のメダル排出処理の後あるいは並列的に、カード検知信号の入力があったか否かがチェックされ（Ｓ４０）、これがＹＥＳの場合、スピーカ２７から警報音を発される（Ｓ５０）。遊技者は、この警報音によりカードの抜き忘れを認識できるのである。
【００７２】
＜第四実施形態（請求項１，２，５，６に対応する実施形態）＞
第四実施形態が第二実施形態と異なる点は、図８に示す如く、スロットマシン１のインターフェイス回路５９及びメダル貸出機２の中継基板６６間の制御信号として、カード検知信号が増設される点、カードの抜き忘れが発生すると、スロットマシン１のスピーカ２７から警報音が発される点である。また、第四実施形態が第三実施形態と異なる点は、中継基板６１に、メダル精算ボタン２０が接続される点、そして、これに伴い、精算状態信号が中継基板６１で生成されて、メダル貸出機２の制御部６５に入力される点である。
【００７３】
＜第五実施形態（請求項１，２，７，８に対応する実施形態）＞
第五実施形態が第二実施形態と異なる点は、図９に示す如く、スロットマシン１の制御部５５に、メダル精算ボタン２０が接続されていない点、そして、これに伴い、スロットマシン１においてメダル精算処理を開始するためのトリガーとなる精算開始信号がメダル貸出機２の制御部６５で生成されて、スロットマシン１の制御部５５に入力される点である。
【００７４】
精算開始信号は、メダル貸出機２からスロットマシン１に対し、メダル精算ボタン２０が押釦操作されたことを知らせるための信号である。メダル精算ボタン２０が押釦操作されると、精算開始信号がＨレベルとなり、所定時間経過後、Ｌレベルに反転する。
【００７５】
＜第六実施形態（請求項１，２，９，１０に対応する実施形態）＞
第六実施形態が第四実施形態と異なる点は、図１０に示す如く、スロットマシン１の制御部５５に、メダル精算ボタン２０が接続されていない点、そして、これに伴い、スロットマシン１においてメダル精算処理を開始するためのトリガーとなる精算開始信号がメダル貸出機２の制御部６５で生成されて、スロットマシン１の制御部５５に入力される点である。
【００７６】
＜その他の実施形態＞
本発明は、上記何れかの実施形態に限定されるものではなく、本発明の要旨を逸脱しない範囲で種々の変更が可能である。
【００７７】
例えば、上記実施形態においては、有価価値の残っているカードがメダル貸出機２内に残っているか否かをチェックし、抜き取り忘れがある場合に、警報が発されるようになっているが、これは、メダル貸出機２に預けられたが、メダルの貸し出しに供されなかったために遊技者に返却されるべき有価価値が、精算されないまま遊技者の所有から不測に解かれてしまうことを未然に防止する趣旨である。従って、メダル貸出機２が預かっている残有価価値をダウンロードさせることで遊技者が残有価価値の返却（精算）を受けるようにした次世代携帯電話などの非接触ＩＣであれば、メダル精算時に、残有価価値がメダル貸出機２から非接触ＩＣにダウンロードされていなければ、警報が発されることとなる。
【００７８】
また、上記実施形態においては、メダル精算ボタン２０を押釦操作した際、カードが抜き取られていない（メダル貸出機２に預けられた有価価値が精算されていない）と、警報が発されるようになっているが、順番的には、メダルの精算操作を行ってから、有価価値の精算操作を行う遊技者もいるであろうから、この場合、メダル精算の操作を行ってから、所定時間後にまだ有価価値精算の操作が行われていなければ、警報が発されるようにするのが好ましい。
【００７９】
即ち、報知がなされるタイミングとしては、「メダル精算ボタン２０を押釦操作したとき」、「メダルの返却（排出処理）が完了したとき」、「メダル精算ボタン２０を押釦操作してから、又はメダルの返却が完了してから所定時間が経過したとき」などが挙げられるが、返却されたメダルをいわゆる「ドル箱」に回収する作業のために貸出媒体の取り出し（抜き取り）を忘れるということであるから、「メダル精算ボタン２０を押釦操作してから、又はメダルの返却が完了してから所定時間が経過したとき」がより好ましい。
【００８０】
また、上記実施形態においては、カードの抜き忘れがあった時は、カードが返却（カード挿排口４９に排出）されるようになっているが、度数の残っているカードは、カード処理部７０内に収容されたままで、警報が発されている間あるいはその後に、メダル貸出ボタン１８を押せば、メダルが受け皿２６に排出される、即ち残度数をメダルの精算に回すようにしてもよい。
【００８１】
また、上記実施形態においては、カードに度数が残っている状態で、メダル精算ボタン２０を押釦操作すると、警報が発されるようになっているが、メダルの貯留処理を無効にするためにメダル精算ボタン２０を押釦操作することも考えられるから、この場合は、何らかの操作（例えばメダル投入口１２からのメダルの投入、ＢＥＴボタン１３，１４，１５の押釦操作、始動レバー１６の操作、メダル貸出ボタン１８の押釦操作等）によって警報がキャンセルされるようにする必要がある。
【００８２】
また、上記実施形態においては、警報による報知であったが、これに限らず、液晶表示器やドットマトリクス表示器等の表示による報知、あるいはカード残高表示器２２の例えば点滅（即ち通常と異なる表示態様）表示による報知、あるいは音声による報知、あるいは受け皿２６の振動による報知であってもよい。液晶表示器、ドットマトリクス表示器、カード残高表示器２２、音声にあっては、残度数データ（残有価価値情報）の表示による報知であってもよい。
【００８３】
また、上記実施形態においては、貸出指示がなされた後に、有価価値の減算（徴収）を行っているが、この逆、即ち、有価価値の徴収を先に行った後に、貸出指示がなされるようにしてもよい。
【００８４】
また、「貸出媒体を投入した状態で一定時間遊技の実行が検知されなければ（例えばメダルの投入操作、ＢＥＴボタン１３，１４，１５の押釦操作、始動レバー１６の操作等が行われなければ）、貸出媒体の取り忘れとみなして報知する」という報知態様を採用し、これと上記実施形態に係る報知態様とを併用するようにしてもよい。
【００８５】
また、上記実施形態に係るメダル貸出機（遊技媒体貸出機）においては、メダル貸出ボタン１８を押釦操作することにより、貸出処理を開始するようにしているが、メダル貸出ボタンを設けず、貨幣や貸出媒体を投入すれば、発行される貸出媒体や投入された貸出媒体の有する有価価値の範囲内で自動的に貸出処理を開始するメダル貸出機であってもよい。この場合、貸出処理の開始のタイミング（即ち貸出要求信号の出力のタイミング）は、貨幣や貸出媒体を投入した時、投入された貨幣や貸出媒体が真正と判断された時、貨幣の投入により貸出媒体が発行された時、発行された貸出媒体を内部に取り込んだ時、貸出媒体の情報を読み込んだ時、あるいはこの間の何れであってもよい。
【００８６】
また、メダル貸出機としては、貸出媒体を抜き取り可能か不可能かであるかを問わず、貨幣を受け付けて有価価値が付与された貸出媒体を発行する貸出媒体発行手段を備えた、いわゆる「自発行型」のメダル貸出機に限定されず、貸出媒体発行手段を備えず、発券機で発行された貸出媒体のみを受け付け可能なメダル貸出機をも含むものである。また、自発行型であっても、金額選択ボタンは、必須構成ではなく、受け付けた貨幣と等価な貸出媒体を発行するメダル貸出機や、投入されている貸出媒体にまだ有価価値が残っている状態で、貨幣を投入すれば、貨幣の有する有価価値の範囲内で貸出媒体の有価価値の上書きを行うメダル貸出機であってもよい。
【００８７】
また、上記実施形態においては、メダル貸出機とスロットマシンとがそれぞれ別の筐体で構成され、両者が電気的に接続される分離可能な構成とされているが、本発明は、それぞれ別の筐体ではあるが、それら筐体が分離不可能に結合されたものや、従来より提供されているスロットマシンの筐体にメダル貸出機に係る構成を設けたものを含む。従って、これらは、概念的には、「スロットマシン」でもあるし、「遊技媒体貸出機」でもある。かかる場合、「スロットマシン」に係る請求項においては、「遊技媒体貸出機」の用語は削除され、「遊技媒体貸出機」に係る請求項においては、「スロットマシン」の用語は削除される。
【００８８】
また、メダル貸出ボタン１８、カード返却ボタン１９、貸出可表示ランプ２１、カード残高表示器２２は、スロットマシン１側に設けることは必須ではなく、メダル貸出機２側に設けてもよい。
【００８９】
【発明の効果】
以上の如く、本発明は、遊技媒体の返却を受けるに際し、残有価価値あるいは貸出媒体の返却を受けていないと、その旨の報知がなされるようになっているため、遊技者が残有価価値あるいは貸出媒体を逸失することによって不測に損をするといった事態を確実に防止することができるようになる。
【図面の簡単な説明】
【図１】本発明の一実施形態に係るスロットマシン及びメダル貸出機の正面図を示す。
【図２】同実施形態に係るスロットマシンの内部の正面図を示す。
【図３】第一実施形態に係るスロットマシン及びメダル貸出機の電気的構成のブロック図を示す。
【図４】同実施形態に係るメダル精算時におけるスロットマシンの制御部及びメダル貸出機の制御部のそれぞれ制御手順を示す。
【図５】第二実施形態に係るスロットマシン及びメダル貸出機の電気的構成のブロック図を示す。
【図６】第三実施形態に係るスロットマシン及びメダル貸出機の電気的構成のブロック図を示す。
【図７】同実施形態に係るメダル精算時におけるスロットマシンの制御部及びメダル貸出機の制御部のそれぞれ制御手順を示す。
【図８】第四実施形態に係るスロットマシン及びメダル貸出機の電気的構成のブロック図を示す。
【図９】第五実施形態に係るスロットマシン及びメダル貸出機の電気的構成のブロック図を示す。
【図１０】第六実施形態に係るスロットマシン及びメダル貸出機の電気的構成のブロック図を示す。
【符号の説明】
１…スロットマシン、２…メダル貸出機、８…筐体、１０…リール、１１…図柄表示窓、１２…メダル投入口、１３…ＭＡＸ−ＢＥＴボタン、１４…１ＢＥＴボタン、１５…２ＢＥＴボタン、１６…始動レバー、１７…ストップボタン、１８…メダル貸出ボタン、１９…カード返却ボタン、２０…メダル精算ボタン、２１…貸出可表示ランプ、２２…カード残高表示器、２３…貯留メダル枚数表示器（クレジット表示器）、２４…ライン有効化表示器、２５…メダル排出口、２６…受け皿、２７…スピーカ、２８…メダルガイド、２９…ホッパー、３０…メダル排出装置、３１…メダル送出機構、４０…機体、４４…表示ランプ、４５…紙幣投入口、４６…紙幣返却口、４７…金額選択ボタン、４８…カード投入ボタン、４９…カード挿排口、５０…スピーカ、５５…制御部、５６…メダル投入センサ、５７…リール駆動部、５８…表示ランプ等、５９…インターフェイス回路、６１…中継基板、６５…制御部、６６…中継基板、６９…インターフェイス回路、７０…カード処理部、７１…紙幣処理部
【図１】
2004008400.tif 000003
【図２】
2004008400.tif 000004
【図３】
2004008400.tif 000005
【図４】
2004008400.tif 000006
【図５】
2004008400.tif 000007
【図６】
2004008400.tif 000008
【図７】
2004008400.tif 000009
【図８】
2004008400.tif 000010
【図９】
2004008400.tif 000011
【図１０】
2004008400.tif 000012